(57)【特許請求の範囲】
【請求項１】
機器本体に対して表示器を上下方向に移動可能に支持する支持機構を備えた電子機器において、
前記支持機構は、前記表示器を支持した状態で上下方向に沿って複数段に伸縮する支持部材と、この支持部材を前記機器本体に対して出没可能に保持する支持取付部と、を備え、
前記支持部材は、それぞれ径が異なり、その一方の内部に他方が出没可能に挿入する複数の筒状部と、この複数の筒状部を相対的に引き出す際にその引き出し位置を相互に規制する筒規制部と、を備え、
前記筒規制部は、
前記複数の筒状部の各周面にその軸方向に沿って設けられた伸縮ガイド溝と、
前記複数の筒状部の各周面にその円周方向に沿って設けられて前記伸縮ガイド溝に連続する位置規制ガイド溝と、
前記複数の筒状部の前記各周面に対向する前記複数の筒状部の各周面に設けられ、且つ前記伸縮ガイド溝内を移動すると共に前記位置規制ガイド溝内を移動するガイド突起と、
を備える
ことを特徴とする電子機器。
【請求項２】
請求項１に記載の電子機器において、前記筒規制部は、前記複数の筒状部の各周面にその軸方向に沿って設けられた前記伸縮ガイド溝と、この伸縮ガイド溝内に所定間隔で設けられた複数の位置規制凹部と、前記複数の筒状部の前記各周面に対向する前記複数の筒状部の各周面に設けられ、且つ前記伸縮ガイド溝内を移動すると共に前記複数の位置規制凹部内に弾力的に係脱可能に係合するガイド突起とを備えていることを特徴とする電子機器。
【請求項３】
請求項２に記載の電子機器において、前記支持取付部は、前記支持部材の前記複数の筒状部のうち、最外周に位置する筒状部が出没可能に挿入する収納筒部と、この収納筒部に対する前記最外周の筒状部の引き出し位置を規制する取付規制部とを備えていることを特徴とする電子機器。
【請求項４】
請求項１乃至３のいずれか一項に記載の電子機器において、前記機器本体には前記表示器を出没可能に収納する表示収納部が設けられており、この表示収納部内の底部には前記支持部材を収縮させた状態で収納する前記支持取付部が設けられていることを特徴とする電子機器。
【請求項５】
機器本体に対して表示器を移動可能に支持する支持機構を備えた電子機器において、
前記支持機構は、複数の支持部材を有し、
前記複数の支持部材は、そのうちの第１の支持部材の内部に第２の支持部材が出没可能に挿入され、
前記第１の支持部材は、その周面に前記出没する方向に沿って設けられた伸縮ガイド溝と、前記出没する方向とは垂直な方向に沿って該周面に設けられて該伸縮ガイド溝に連続する位置規制ガイド溝と、を備え、
前記第２の支持部材は、前記第１の支持部材の周面に対向する該第２の支持部材の周面に設けられ、且つ前記伸縮ガイド溝内を移動すると共に前記位置規制ガイド溝内を前記垂直な方向へ移動するガイド突起を備える
ことを特徴とする電子機器。
【請求項６】
請求項１乃至５のいずれか一項に記載の電子機器において、前記表示器は、前記機器本体から前記支持部材が引き出される際に、前記支持機構に支持された状態で、前記機器本体に対して斜めに離間する方向に向けて移動することを特徴とする電子機器。
【請求項７】
機器本体に対して表示器を移動可能に支持する支持部材を備えた電子機器において、
前記支持部材を前記機器本体に対して出没可能にガイドする支持ガイド部を備え、
前記支持部材は、それぞれ径が異なり、その一方の内部に他方が出没可能に挿入される複数の筒状部と、この複数の筒状部を相対的に引き出す際にその引き出し位置を相互に規制する筒規制部とを有し、
前記筒規制部は、前記複数の筒状部の各周面にその軸方向に沿って設けられた伸縮ガイド溝と、前記複数の筒状部の各周面にその円周方向に沿って設けられて前記伸縮ガイド溝に連続する位置規制ガイド溝と、前記複数の筒状部の前記各周面に対向する前記複数の筒状部の各周面に設けられ、且つ前記伸縮ガイド溝内を移動すると共に前記位置規制ガイド溝内を前記円周方向へ移動するガイド突起とを有し、
前記表示器は、前記支持部材が前記支持ガイド部から引き出される際に、前記機器本体から斜めに離間する方向に向けて移動することを特徴とする電子機器。
【発明の詳細な説明】
【技術分野】
【０００１】
この発明は、電子レジスタなどの電子機器に関し、更に詳しくは機器本体に対して表示器が出没する電子機器に関する。
【背景技術】
【０００２】
例えば、電子レジスタなどの電子機器においては、特許文献１に記載されているように、機器本体の背面に回転表示器を出没可能に収納する表示収納部を設け、この表示収納部内に表示取付板を配置し、この表示取付板に１本の支持軸を上下方向に出没可能に取り付け、この支持軸の上端部に回転表示器を回転可能に取り付けた構成のものが知られている。
【先行技術文献】
【特許文献】
【０００３】
【特許文献１】特開平０１−１７７６９４号公報
【０００４】
このような電子機器は、機器本体の表示収納部内に配置される表示取付板に、１本の支持軸が出没可能に挿入する保持筒を設け、この保持筒に支持軸を所定の引き出し位置に規制するための位置規制部を設けると共に、保持筒に保持される支持軸を機器本体の表示収納部の深さよりも少し長く形成して、回転表示器を機器本体の上方に支持することにより、回転表示器の側面に設けられた表示パネルを見やすくするように構成されている。
【０００５】
このような電子機器では、支持軸を保持筒内に押し込むことにより、回転表示器を機器本体の表示収納部内に収納することができ、また支持軸を保持筒内から上方に引き出すことにより、回転表示器を機器本体の表示収納部の上方に支持することができると共に、この状態で回転表示器を回転させて、回転表示器の表示パネルの向きを自由に変えることができる。
【発明の概要】
【発明が解決しようとする課題】
【０００６】
しかしながら、このような電子機器は、１本の支持軸が機器本体の表示収納部の深さよりも少し長く形成されているので、支持軸を保持筒内に押し込んで回転表示器を機器本体の表示収納部内に収納する際に、支持軸が保持筒内に押し込まれて機器本体の表示収納部の下側に挿入するため、表示収納部の下側に位置する機器本体の厚みを支持軸の長さよりも長く形成しなければ、支持軸を収納することができないという問題がある。
【０００７】
また、このような電子機器では、回転表示器の表示パネルに表示された情報を見やすくするために、表示パネルを大きく形成して、表示パネルを大画面化すると、これに伴って回転表示器が大きくなる。この場合には、回転表示器の大きさに応じて、支持軸を長く形成する必要があり、これに伴って機器本体の高さを高くしなければならないため、機器全体が大型化してしまうという問題が生じる。
【０００８】
この発明が解決しようとする課題は、表示器を大きく形成しても、支持部材の長さの影響を受けずに、装置全体をコンパクトに構成することができる電子機器を提供することである。
【課題を解決するための手段】
【０００９】
この発明は、機器本体に対して表示器を上下方向に移動可能に支持する支持機構を備えた電子機器において、前記支持機構は、前記表示器を支持した状態で上下方向に沿って複数段に伸縮する支持部材と、この支持部材を前記機器本体に対して出没可能に保持する支持取付部と、を備え、前記支持部材は、それぞれ径が異なり、その一方の内部に他方が出没可能に挿入する複数の筒状部と、この複数の筒状部を相対的に引き出す際にその引き出し位置を相互に規制する筒規制部と、を備え、前記筒規制部は、前記複数の筒状部の各周面にその軸方向に沿って設けられた伸縮ガイド溝と、前記複数の筒状部の各周面にその円周方向に沿って設けられて前記伸縮ガイド溝に連続する位置規制ガイド溝と、前記複数の筒状部の前記各周面に対向する前記複数の筒状部の各周面に設けられ、且つ前記伸縮ガイド溝内を移動すると共に前記位置規制ガイド溝内を移動するガイド突起と、を備えることを特徴とする電子機器である。
また、この発明は、機器本体に対して表示器を移動可能に支持する支持機構を備えた電子機器において、前記支持機構は、複数の支持部材を有し、前記複数の支持部材は、そのうちの第１の支持部材の内部に第２の支持部材が出没可能に挿入され、前記第１の支持部材は、その周面に前記出没する方向に沿って設けられた伸縮ガイド溝と、前記出没する方向とは垂直な方向に沿って該周面に設けられて該伸縮ガイド溝に連続する位置規制ガイド溝と、を備え、前記第２の支持部材は、前記第１の支持部材の周面に対向する該第２の支持部材の周面に設けられ、且つ前記伸縮ガイド溝内を移動すると共に前記位置規制ガイド溝内を前記垂直な方向へ移動するガイド突起を備えることを特徴とする電子機器である。
さらに、この発明は、機器本体に対して表示器を移動可能に支持する支持部材を備えた電子機器において、前記支持部材を前記機器本体に対して出没可能にガイドする支持ガイド部を備え、前記支持部材は、それぞれ径が異なり、その一方の内部に他方が出没可能に挿入される複数の筒状部と、この複数の筒状部を相対的に引き出す際にその引き出し位置を相互に規制する筒規制部とを有し、前記筒規制部は、前記複数の筒状部の各周面にその軸方向に沿って設けられた伸縮ガイド溝と、前記複数の筒状部の各周面にその円周方向に沿って設けられて前記伸縮ガイド溝に連続する位置規制ガイド溝と、前記複数の筒状部の前記各周面に対向する前記複数の筒状部の各周面に設けられ、且つ前記伸縮ガイド溝内を移動すると共に前記位置規制ガイド溝内を前記円周方向へ移動するガイド突起とを有し、前記表示器は、前記支持部材が前記支持ガイド部から引き出される際に、前記機器本体から斜めに離間する方向に向けて移動することを特徴とする電子機器である。
【発明の効果】
【００１０】
この発明によれば、表示器を大きく形成しても、支持部材の長さの影響を受けずに、装置全体をコンパクトに構成することができる。
【図面の簡単な説明】
【００１１】
【図１】この発明を電子レジスタに適用した実施形態１を示した斜視図である。
【図２】図１に示された電子レジスタを背面側から見た斜視図である。
【図３】図２に示された電子レジスタにおいて、回転表示器を機器本体の上方に引き上げた状態を示した斜視図である。
【図４】図１に示された電子レジスタの平面図である。
【図５】図１に示された電子レジスタの正面図である。
【図６】図１に示された電子レジスタを右側から見た側面を示し、（ａ）は機器本体上に入力表示ユニットを緩やかに傾斜させて配置した状態を示した側面図、（ｂ）は機器本体上に入力表示ユニットを後部上がりに起立させた状態を示した側面図である。
【図７】図１に示された電子レジスタを左側から見た側面を示し、（ａ）は機器本体の表示収納部内に回転表示器を収納した状態を示した側面図、（ｂ）は機器本体の上方に回転表示器を引き上げた状態を示した側面図である。
【図８】図３に示された回転表示器を機器本体の表示収納部内に出没可能に支持する支持機構を一部破断して示した要部の分解斜視図である。
【図９】図８に示された支持機構の支持部材を一部破断して示した要部の分解斜視図である。
【図１０】図９に示された支持部材の伸縮状態を示し、（ａ）は支持部材を収縮させた状態を示した要部の拡大断面図、（ｂ）は支持部材を引き伸ばして位置規制した状態を示した要部の拡大断面図である。
【図１１】この発明を電子レジスタに適用した実施形態２を示した斜視図である。
【図１２】図１１に示された電子レジスタにおいて、回転表示器を支持する支持機構を分解して示した斜視図である。
【図１３】図１２に示された支持機構の支持部材を分解して示した要部の拡大断面図である。
【図１４】図１３に示された支持部材の伸縮状態を示し、（ａ）は支持部材を収縮させた状態を示した要部の拡大断面図、（ｂ）は支持部材を引き伸ばして位置規制した状態を示した要部の拡大断面図である。
【図１５】この発明を電子レジスタに適用した実施形態３を示した背面図である。
【図１６】図１５に示された電子レジスタにおける回転表示器の支持機構を分解して示した要部の拡大断面図である。
【図１７】図１６に示された支持機構を収縮させた状態を示した要部の拡大断面図である。
【図１８】図１６に示された支持機構を引き伸ばして位置規制した状態を示した要部の拡大断面図である。
【図１９】この発明を電子レジスタに適用した実施形態４において、回転表示器を支持する支持機構を分解して示した斜視図である。
【図２０】図１９に示された支持機構を破断して示した要部の拡大断面図である。
【図２１】図２０に示された支持機構を異なる箇所で破断して示した要部の拡大断面図である。
【発明を実施するための形態】
【００１２】
（実施形態１）
以下、図１〜図１０を参照して、この発明を電子レジスタに適用した実施形態１について説明する。
この電子レジスタは、図１〜図３に示すように、機器本体１を備えている。この機器本体１には、入力表示ユニット２、プリンタユニット３、および回転表示器４が搭載されている。
【００１３】
入力表示ユニット２は、図１〜図３に示すように、ユニットケース５の上面にタッチ入力部６を設けたものであり、顧客が購入する商品の情報をオペレータがタッチ入力部６のタッチ操作によって入力するように構成されている。この場合、タッチ入力部６は、図示しないが、表示パネルの上面に透明なタッチパネルを配置した構成になっている。
【００１４】
このタッチ入力部６は、図１〜図３に示すように、表示パネルに表示された情報を見ながらタッチパネルをタッチ操作して、売買する商品の情報を入力すると共に、その入力された情報が表示パネルに表示されるように構成されている。この場合、ユニットケース５は、図１〜図３に示すように、機器本体１の一部分（図３では左側の部分）を除いた箇所の機器本体１上に、前下がりに傾斜した状態で配置されている。
【００１５】
すなわち、機器本体１上には、図６（ａ）および図６（ｂ）に示すように、半円弧状の支持凹部７が設けられており、ユニットケース５の下面には、半円筒状の回転凸部８が設けられている。これにより、ユニットケース５は、その下面の半円筒状の回転凸部８が機器本体１上の半円弧状の支持凹部７上に配置された状態で、この支持凹部７上を前後方向に向けて回転移動することにより、後部（図６（ｂ）では右側）が競り上がって傾斜するように構成されている。
【００１６】
プリンタユニット３は、図１〜図５、および図７に示すように、機器本体１上に開閉可能に配置されたプリンタカバー１０と、このプリンタカバー１０の下側に位置する機器本体１の内部に設けられたプリンタ部１１と、このプリンタ部１１の近傍に位置する機器本体１内に設けられた記録紙収納部１２とを備え、機器本体１における入力表示ユニット２の左隣に配置されている。
【００１７】
プリンタカバー１０は、図１〜図５に示すように、入力表示ユニット２の上面とほぼ同じ高さで、且つ前下がりに傾斜した状態で、機器本体１上に配置されている。プリンタ部１１は、印字部とプラテン部とを備え、これらの間に記録紙収納部１２に収納された記録紙１３が送り込まれ、この送り込まれた記録紙１３に印刷情報を印刷して送り出するように構成されている。
【００１８】
すなわち、このプリンタ部１１は、図７（ａ）および図７（ｂ）に示すように、記録紙収納部１２内に収納されたロール状の記録紙１３を順次引き出し、この引き出した記録紙１３に印刷情報を印刷し、この印刷した記録紙１３をプリンタカバー１０に設けられた記録紙排出口１０ａから機器本体１の外部に排出するように構成されている。
【００１９】
一方、回転表示器４は、図１〜図３に示すように、オペレータが入力した情報を表示し、この表示した情報を顧客が見えるようにするためのものであり、表示ケース１４に情報を表示する表示パネル１５を設け、この表示ケース１４を支持機構１６によって機器本体１に対して上下方向に伸縮移動可能に支持するように構成されている。
【００２０】
この場合、表示ケース１４は、図１〜図３に示すように、横長の長方形の箱状に形成されている。また、表示パネル１５は、液晶表示素子やＥＬ（エレクトロ・ルミネッセンス）表示素子などの平面型の表示素子からなり、表示ケース１４の背面側に位置する側面に横長状態で配置され、オペレータが入力した情報などの電子レジスタに必要な各種の情報を電気光学的に表示するように構成されている。
【００２１】
また、この回転表示器４は、図１〜図３に示すように、機器本体１の背面に設けられた表示収納部１７内に出没可能に収納されるように構成されている。支持機構１６は、図８〜図１０に示すように、回転表示器４を支持した状態で上下方向に沿って複数段に伸縮する支持部材１８と、この支持部材１８を機器本体１の表示収納部１７内に出没可能に保持する支持取付部１９とを備えている。
【００２２】
支持部材１８は、図８〜図１０に示すように、上下方向に伸縮する複数の筒軸２０、２１と、この複数の筒軸２０、２１の相対的な引き出し位置を規制する筒規制部２２とを備えている。複数の筒軸２０、２１は、それぞれ径が異なり、一方の筒軸２０の内部に他方の筒軸２１が出没可能に挿入するように構成されている。
【００２３】
すなわち、最も外側に位置する大径の筒軸２０は、図８および図９に示すように、その外径が他方の筒軸２１よりも大きく形成されており、この大径の筒軸２０の内部には、これよりも外径の小さい他方の筒軸２１がその軸方向に沿って移動可能に挿入されている。この外径の小さい小径の筒軸２１の上部には、図３および図８に示すように、回転表示器４の表示ケース１４の底部が水平方向に回転可能な状態で取り付けられている。
【００２４】
また、この複数の筒軸２０、２１は、図３および図８に示すように、それぞれ軸方向の長さが回転表示器４の高さのほぼ半分程度の長さ、つまり回転表示器４の表示ケース１４を収納する機器本体１の表示収納部１７における深さのほぼ半分程度の長さに形成され、複数の筒軸２０、２１を軸方向に沿って相対的に引き出した際に、その両方の筒軸２０、２１の全長が表示収納部１７の深さよりも長くなるように構成されている。
【００２５】
筒規制部２２は、図９および図１０に示すように、複数の筒軸２０、２１のうち、小径の筒軸２１を大径の筒軸２０内から上方に引き出す際に、その相対的な引き出し位置を規制するためのものであり、複数の筒軸２０、２１のうち、大径の筒軸２０の内周面に設けられた伸縮ガイド溝２０ａと、この伸縮ガイド溝２０ａ内に所定間隔で設けられた複数の位置規制凹部２０ｂと、これらが対向する小径の筒軸２１の外周面に弾力的に設けられたガイド突起２１ａとを備えている。
【００２６】
この場合、伸縮ガイド溝２０ａは、図９および図１０に示すように、大径の筒軸２０の内周面にその軸方向に沿って設けられている。複数の位置規制凹部２０ｂは、伸縮ガイド溝２０ａ内にその軸方向に沿って所定間隔で、大径の筒軸２０の内周面と外周面とに貫通して設けられている。すなわち、この複数の位置規制凹部２０ｂは、伸縮ガイド溝２０ａ内の下端部と、伸縮ガイド溝２０ａ内の上端部と、伸縮ガイド溝２０ａ内の中間部との３箇所にそれぞれ設けられている。
【００２７】
ガイド突起２１ａは、図９および図１０に示すように、小径の筒軸２１における外周面の下部に設けられて、伸縮ガイド溝２０ａ内を移動すると共に複数の位置規制凹部２０ｂ内に弾力的に係脱可能に係合するように構成されている。すなわち、このガイド突起２１ａは、小径の筒軸２１に切り込みを設けることにより、弾力を有する舌片状に形成され、且つ小径の筒軸２１の外周面から出没可能に突出し、この突出した部分が伸縮ガイド溝２０ａ内を移動すると共に複数の位置規制凹部２０ｂ内に係脱可能に弾力的に係合するように構成されている。
【００２８】
これにより、筒規制部２２は、図９および図１０に示すように、小径の筒軸２１の外周面に設けられたガイド突起２１ａが、これに対向する大径の筒軸２０の内周面に設けられた伸縮ガイド溝２０ａ内を移動することにより、複数の筒軸２０、２１をその軸方向（図９では上下方向）に沿って相対的に伸縮させるように構成されている。
【００２９】
また、この筒規制部２２は、図９および図１０に示すように、小径の筒軸２１の外周面に設けられたガイド突起２１ａが、大径の筒軸２０の伸縮ガイド溝２０ａ内に設けられた複数の位置規制凹部２０ｂのいずれかに係脱可能に係合することにより、複数の筒軸２０、２１の軸方向への伸縮移動を弾力的に阻止するように構成されている。
【００３０】
この場合、ガイド突起２１ａは、伸縮ガイド溝２０ａ内の下端部に位置する位置規制凹部２０ｂに係合すると、小径の筒軸２１を大径の筒軸２０内に最も挿入させた状態で位置規制する。また、このガイド突起２１ａは、伸縮ガイド溝２０ａ内の中間部に位置する位置規制凹部２０ｂに係合すると、小径の筒軸２１を大径の筒軸２０内にほぼ半分程度を挿入させた状態で位置規制する。さらに、このガイド突起２１ａは、伸縮ガイド溝２０ａ内の上端部に位置する位置規制凹部２０ｂに係合すると、小径の筒軸２１を大径の筒軸２０内から最も突出させた状態で位置規制する。
【００３１】
一方、支持取付部１９は、図３および図８に示すように、支持部材１８の複数の筒軸２０、２１のうち、大径の筒軸２０が出没可能に挿入する収納筒部２３と、この収納筒部２３に対する大径の筒軸２０の引き出し位置を規制する取付規制部２４とを備えている。収納筒部２３は、その長さが複数の筒軸２０、２１のうち、大径の筒軸２０の長さとほぼ同じ長さに形成されている。この収納筒部２３は、その下部が機器本体１内に挿入された状態で、上部が機器本体１の背面に設けられた表示収納部１７の底部に取り付けられた構成になっている。
【００３２】
また、取付規制部２４は、図８に示すように、支持部材１８の大径の筒軸２０を収納筒部２３内から上方に引き出した際に、その相対的な引き出し位置を規制するためのものであり、収納筒部２３の内周面に設けられた伸縮ガイド溝２３ａと、この伸縮ガイド溝２３ａ内に所定間隔で設けられた複数の位置規制凹部２３ｂと、これらが対向する支持部材１８の大径の筒軸２０の外周面に設けられたガイド突起２０ｃとを備えている。
【００３３】
この場合、伸縮ガイド溝２３ａは、図８に示すように、収納筒部２３の内周面にその軸方向に沿って設けられている。複数の位置規制凹部２３ｂは、支持部材１８の位置規制凹部２０ｂと同様、伸縮ガイド溝２３ａ内にその軸方向に沿って所定間隔で、収納筒部２３の内周面と外周面とに貫通して設けられている。すなわち、この複数の位置規制凹部２３ｂは、伸縮ガイド溝２３ａ内の下端部と、伸縮ガイド溝２３ａ内の上端部と、伸縮ガイド溝２３ａ内の中間部との３箇所にそれぞれ設けられている。
【００３４】
ガイド突起２０ｃは、図８に示すように、大径の筒軸２０における外周面の下部に設けられて、収納筒部２３の伸縮ガイド溝２３ａ内を移動すると共に複数の位置規制凹部２３ｂ内に弾力的に係脱可能に係合するように構成されている。すなわち、このガイド突起２０ｃは、大径の筒軸２０に切り込みを設けることにより、弾力を有する舌片状に形成され、且つ大径の筒軸２０の外周面から出没可能に突出し、この突出した部分が収納筒部２３の伸縮ガイド溝２３ａ内を移動すると共に複数の位置規制凹部２３ｂ内に係脱可能に弾力的に係合するように構成されている。
【００３５】
これにより、取付規制部２４は、図８に示すように、大径の筒軸２０の外周面に設けられたガイド突起２０ｃが、これに対向する収納筒部２３の内周面に設けられた伸縮ガイド溝２３ａ内を移動することにより、大径の筒軸２０を収納筒部２３に対してその軸方向（図８では上下方向）に沿って移動させるように構成されている。
【００３６】
また、この取付規制部２４は、図８に示すように、大径の筒軸２０の外周面に設けられたガイド突起２０ｃが、これに対向する収納筒部２３の伸縮ガイド溝２３ａ内に設けられた複数の位置規制凹部２３ｂのいずれかに係脱可能に係合することにより、大径の筒軸２０の軸方向への伸縮移動を弾力的に阻止するように構成されている。
【００３７】
この場合、ガイド突起２０ｃは、伸縮ガイド溝２３ａ内の下端部に位置する位置規制凹部２３ｂに係合すると、大径の筒軸２０を収納筒部２３内に最も挿入させた状態で位置規制する。また、このガイド突起２０ｃは、伸縮ガイド溝２３ａ内の中間部に位置する位置規制凹部２３ｂに係合すると、大径の筒軸２０を収納筒部２３内にほぼ半分程度を挿入させた状態で位置規制する。さらに、このガイド突起２０ｃは、伸縮ガイド溝２３ａ内の上端部に位置する位置規制凹部２３ｂに係合すると、大径の筒軸２０を収納筒部２３内から最も突出させた状態で位置規制する。
【００３８】
次に、この電子レジスタの作用について説明する。
この電子レジスタでは、オペレータが入力表示ユニット２のタッチ入力部６を操作して、顧客が購入する商品の値段や商品名などの情報を入力すると、その入力された情報がタッチ入力部６および回転表示器４の表示パネル１５に表示される。これにより、オペレータは入力表示ユニット２のタッチ入力部６に表示された情報を見て、入力した情報を確認することができると共に、顧客は回転表示器４の表示パネル１５に表示された情報を見て、入力された情報を確認することができる。
【００３９】
このように表示された情報をプリンタ部１１で記録紙１３に印刷して、レシートとして発行する。このときには、オペレータがタッチ入力部６をタッチ操作してプリンタ部１１を動作させる。すると、プリンタ部１１がロール状の記録紙１３を順次引き出し、この引き出した記録紙１３に印刷情報を順次印刷する。この印刷された記録紙１３は、プリンタカバー１０の記録紙排出口１０ａから機器本体１の外部に送り出され、レシートとして発行される。
【００４０】
ところで、回転表示器４の表示パネル１５に表示された情報を顧客が見やすくする場合には、回転表示器４を機器本体１の表示収納部１７の上方に引き出して、顧客が表示パネル１５に表示された情報を見やすい方向に表示ケース１４を回転させれば良い。この場合、回転表示器４を引き上げる際には、支持機構１６の支持部材１８が軸方向に沿って伸びると共に、この支持部材１８が支持取付部１９から上方に引き出される。
【００４１】
このときには、図９および図１０（ａ）に示すように、小径の筒軸２１の外周面に設けられたガイド突起２１ａが、大径の筒軸２０の内周面に設けられた伸縮ガイド溝２０ａ内における下端部の位置規制凹部２０ｂに係合しているため、この係合力に抗して小径の筒軸２１を大径の筒軸２０内から引き出す。すると、大径の筒軸２０の内周面に設けられた伸縮ガイド溝２０ａ内を小径の筒軸２１の外周面に設けられたガイド突起２１ａが軸方向（上下方向）に沿って移動し、支持部材１８がその軸方向に沿って上方に伸びる。
【００４２】
また、このときには、図３および図８に示すように、支持部材１８における大径の筒軸２０の外周面に設けられたガイド突起２０ｃが、収納筒部２３の内周面に設けられた伸縮ガイド溝２３ａ内における下端部の位置規制凹部２３ｂに係合しているため、この係合力に抗して大径の筒軸２０を収納筒部２３内から引き出す。すると、大径の筒軸２０の外周面に設けられたガイド突起２０ｃが、収納筒部２３の内周面に設けられた伸縮ガイド溝２３ａ内を軸方向に沿って移動し、大径の筒軸２０が収納筒部２３内から軸方向に沿って上方に引き出される。
【００４３】
そして、小径の筒軸２１のガイド突起２１ａが大径の筒軸２０の伸縮ガイド溝２０ａの上部側に移動した際には、ガイド突起２１ａが伸縮ガイド溝２０ａ内の中間部に位置する位置規制凹部２０ｂに一旦、弾力的に係合する。このため、小径の筒軸２１が大径の筒軸２０内から急激に引き出されることがない。
【００４４】
この後、図９および図１０（ｂ）に示すように、大径の筒軸２０の伸縮ガイド溝２０ａ内に設けられた複数の位置規制凹部２０ｂのうち、上端部に位置する位置規制凹部２０ｂ内にガイド突起２１ａが弾力的に係合する。これにより、大径の筒軸２０に対する小径の筒軸２１の軸方向（上下方向）への移動が弾力的に阻止される。
【００４５】
同様に、大径の筒軸２０が収納筒部２３の伸縮ガイド溝２３ａの上部側に移動した際には、図８に示すように、大径の筒軸２０に設けられたガイド突起２０ｃが伸縮ガイド溝２３ａ内の中間部に位置する位置規制凹部２３ｂに一旦、弾力的に係合する。このため、大径の筒軸２０が収納筒部２３内から急激に引き出されることがない。
【００４６】
この後、図８に示すように、収納筒部２３の伸縮ガイド溝２３ａ内に設けられた複数の位置規制凹部２３ｂのうち、上端部に位置する位置規制凹部２３ｂ内にガイド突起２０ｃが弾力的に係合する。これにより、収納筒部２３に対する大径の筒軸２０の軸方向（図８では上下方向）への移動が弾力的に阻止される。
【００４７】
このように支持機構１６の支持部材１８が上方に複数段に引き伸ばされると共に、支持部材１８の大径の筒軸２０が支持取付部１９の収納筒部２３内から引き出された際には、図３に示すように、回転表示器４が機器本体１の上方に配置される。この状態では、回転表示器４の表示ケース１４を回転させて、表示ケース１４に設けられた表示パネル１５を顧客が見やすい向きに向けることができる。
【００４８】
すなわち、回転表示器４は、図８に示すように、表示ケース１４の底部が支持部材１８の最上部に位置する小径の筒軸２１の上部に水平方向に回転可能な状態で取り付けられていることにより、この小径の筒軸２１を中心に表示ケース１４を回転させて、表示パネル１５を顧客が見やすい向きに向けることができる。
【００４９】
一方、この回転表示器４を機器本体１の表示収納部１７内に収納する際には、図９および図１０に示すように、大径の筒軸２０の伸縮ガイド溝２０ａ内における上端部の位置規制凹部２０ｂに対して、小径の筒軸２１のガイド突起２１ａが弾力的に係合しているため、この係合力に抗して、小径の筒軸２１を押し下げる。すると、ガイド突起２１ａが上端部の位置規制凹部２０ｂから離脱して大径の筒軸２０の伸縮ガイド溝２０ａ内に配置される。
【００５０】
この状態で、表示ケース１４を押し下げると、ガイド突起２１ａが伸縮ガイド溝２０ａ内の中間部に位置する位置規制凹部２０ｂに一旦、弾力的に係合する。このため、小径の筒軸２１が大径の筒軸２０内に急激に押し込まれることがないので、安全に小径の筒軸２１を大径の筒軸２０内に押し込むことができる。
【００５１】
この後、図１０（ａ）に示すように、小径の筒軸２１のガイド突起２１ａが大径の筒軸２０の伸縮ガイド溝２０ａに沿って軸方向に沿って更に下側に移動し、小径の筒軸２１が大径の筒軸２０内に収納されると、ガイド突起２１ａが伸縮ガイド溝２０ａの下端部に位置する位置規制凹部２０ｂに弾力的に係合する。これにより、表示ケース１４が機器本体１の表示収納部１７内に挿入する。
【００５２】
また、このときには、大径の筒軸２０が収納筒部２３内に収納される。すなわち、図８に示すように、収納筒部２３の伸縮ガイド溝２３ａ内における上端部の位置規制凹部２３ｂに対して大径の筒軸２０のガイド突起２０ｃが弾力的に係合しているため、この係合力に抗して、大径の筒軸２０を押し下げる。すると、ガイド突起２０ｃが上端部の位置規制凹部２３ｂから離脱して収納筒部２３の伸縮ガイド溝２３ａ内に配置される。
【００５３】
この状態で、表示ケース１４を押し下げると、図８に示すように、大径の筒軸２０のガイド突起２０ｃが収納筒部２３の伸縮ガイド溝２３ａ内の中間部に位置する位置規制凹部２３ｂに一旦、弾力的に係合する。このため、大径の筒軸２０が収納筒部２３内に急激に押し込まれることがないので、安全に大径の筒軸２０を収納筒部２３内に押し込むことができる。
【００５４】
この後、図８に示すように、大径の筒軸２０のガイド突起２０ｃが収納筒部２３の伸縮ガイド溝２３ａに沿って更に下側に移動し、大径の筒軸２０が収納筒部２３内に収納されると、ガイド突起２１ａが伸縮ガイド溝２３ａの下端部に位置する位置規制凹部２３ｂに弾力的に係合する。これにより、図２に示すように、回転表示器４の表示ケース１４が機器本体１の表示収納部１７内に収納される。
【００５５】
このように、この電子レジスタによれば、機器本体１に対して回転表示器４を上下方向に移動可能に支持する支持機構１６が、回転表示器４を支持した状態で上下方向に沿って複数段に伸縮する支持部材１８と、この支持部材１８を機器本体１の表示収納部１７内に出没可能に保持する支持取付部１９とを備えているので、回転表示器４を大きく形成しても、支持部材１８の長さの影響を受けずに、装置全体をコンパクトに構成することができる。
【００５６】
すなわち、この電子レジスタでは、支持部材１８を複数段に収縮させて支持部材１８全体の長さを短くすることができるので、支持部材１８を機器本体１に対してコンパクトに収納することができると共に、支持部材１８の収納時における長さを短くしても、支持部材１８を複数段に引き伸ばして長くすることができるので、回転表示器４を機器本体１の上方に確実に配置させることができる。
【００５７】
これにより、回転表示器４を大きく形成しても、支持部材１８の長さの影響を受けずに、装置全体をコンパクトに構成することができる。この場合、回転表示器４の表示ケース１４に設けられた表示パネル１５に表示される情報を見やすくするために、表示パネル１５を大きく形成して、表示パネル１５を大画面化することができると共に、このように表示パネル１５の大画面化を図るために、表示ケース１４を大きく形成しても、支持部材１８の収縮時における全長を短くすることができるので、機器本体１を大きく形成する必要がなく、機器全体をコンパクトに構成することができる。
【００５８】
この場合、支持部材１８は、それぞれ径が異なり、一方の内部に他方が出没可能に挿入する複数の筒軸２０、２１と、この複数の筒軸２０、２１を相対的に引き出す際にその引き出し位置を相互に規制する筒規制部２２とを備えているので、複数の筒軸２０、２１のうち、小径の筒軸２１を大径の筒軸２０内に挿入させることにより、支持部材１８を短くすることができると共に、複数の筒軸２０、２１を相対的に引き出して支持部材１８を長くすることができ、支持部材１８を長くしても、筒規制部２２によってその長さを確実に維持することができる。
【００５９】
また、この筒規制部２２は、複数の筒軸２０、２１のうち、大径の筒軸２０の内周面にその軸方向に沿って設けられた伸縮ガイド溝２０ａと、この伸縮ガイド溝２０ａ内に所定間隔で設けられた複数の位置規制凹部２０ｂと、小径の筒軸２１の外周面に設けられ、且つ伸縮ガイド溝２０ａ内を移動すると共に、複数の位置規制凹部２０ｂに弾力的に係脱可能に係合するガイド突起２１ａとを備えているので、支持部材１８を確実に且つ良好に伸縮させることができると共に、支持部材１８を引き伸ばした際に、その状態をガイド突起部２１ａの弾性力によって維持させることができる。
【００６０】
すなわち、この支持部材１８では、小径の筒軸２１のガイド突起２１ａが大径の筒軸２０の伸縮ガイド溝２０ａ内を移動することにより、各筒軸２０、２１を軸方向に沿って相対的に移動させることができ、これにより支持部材１８の長さを伸縮させて変更することができる。また、支持部材１８を伸縮させた際に、小径の筒軸２１のガイド突起２１ａが大径の筒軸２０における伸縮ガイド溝２０ａ内に設けられた複数の位置規制凹部２０ｂのいずれかに弾力的に係合することにより、各筒軸２０、２１の軸方向への移動を弾力的に阻止することができ、これにより支持部材１８の伸縮状態を確実に且つ良好に維持することができる。
【００６１】
また、支持取付部１９は、支持部材１８の複数の筒軸２０、２１のうち、最外周に位置する大径の筒軸２０が出没可能に挿入する収納筒部２３と、この収納筒部２３に対する大径の筒軸２０の引き出し位置を規制する取付規制部２４とを備えているので、支持部材１８の大径の筒軸２０を収納筒部２３内から引き出すことにより、支持部材１８を更に長くすることができると共に、支持部材１８を長くしても取付規制部２４によってその長さを確実に且つ良好に維持することができる。
【００６２】
すなわち、この支持取付部１９では、支持部材１８を引き伸ばして回転表示器４を機器本体１の上方に配置する際に、支持部材１８の大径の筒軸２０を収納筒部２３内から引き出すことにより、外部に露出する部分の支持部材１８を更に長くすることができる。また、回転表示器４を機器本体１の上方に配置するために、支持部材１８の大径の筒軸２０を収納筒部２３内から引き出した際には、取付規制部２４によって大径の筒軸２０が収納筒部２３内に押し込まれないように、確実に大径の筒軸２０を保持することができる。
【００６３】
また、この支持取付部１９では、回転表示器４を機器本体１の表示収納部１７内に収納する際に、収納筒部２３に対して支持部材１８の大径の筒軸２０を位置規制している取付規制部２４による位置規制を解除することにより、簡単に大径の筒軸２０を収納筒部２３内に押し込んで、支持部材１８を収納筒部２３内に収納することができ、これにより外部に露出する部分の支持部材１８を短くすることができるので、回転表示器４を機器本体１の表示収納部１７内にコンパクトに且つ良好に収納することができる。
【００６４】
この場合、回転表示器４は、表示ケース１４の側面に表示パネル１５が設けられ、表示ケース１４の底部が支持部材１８を引き伸ばした際に最も上方に位置する小径の筒軸２１の上部に回転可能に取り付けられていることにより、支持部材１８を引き伸ばした際に小径の筒軸２１が最も高い位置に伸び、この伸びた小径の筒軸２１で表示ケース１４を機器本体１の上方に支持することができると共に、表示ケース１４の底部を機器本体１の上方に配置させた状態で、表示ケース１４を良好に回転させることができ、これにより表示ケース１４に設けられた表示パネル１５を顧客が見やすい向きに向けることができる。
【００６５】
また、機器本体１には回転表示器４を出没可能に収納する表示収納部１７が設けられており、この表示収納部１７内の底部には支持部材１８を収縮させた状態で収納する支持取付部１９が設けられていることにより、支持部材１８を収縮させて支持取付部１９内に収納することができると共に、回転表示器４を機器本体１の表示収納部１７内にコンパクトに且つ良好に収納することができ、これにより回転表示器４を良好に保護することができると共に、機器全体のコンパクト化を図ることができる。
【００６６】
なお、上述した実施形態１では、支持機構１６の支持部財１８における筒規制部２２が、大径の筒軸２０の内周面に伸縮ガイド溝２０ａと位置規制凹部２０ｂとを設け、小径の筒軸２１の外周面にガイド突起２１ａを設けた構成である場合について述べたが、これに限らず、例えば小径の筒軸２１の外周面に伸縮ガイド溝と位置規制凹部とを設け、大径の筒軸２０の内周面にガイド突起を設けた構成であっても良い。このように構成しても、上述した実施形態１と同様の作用効果がある。
【００６７】
（実施形態２）
次に、図１１〜図１４を参照して、この発明を電子レジスタに適用した実施形態２について説明する。なお、図１〜図１０に示された実施形態１と同一部分には同一符号を付して説明する。
この電子レジスタは、図１１および図１２に示すように、回転表示器４を支持する支持機構３０が実施形態１と異なる構成であり、これ以外は実施形態１とほぼ同じ構成になっている。
【００６８】
この支持機構３０は、図１１および図１２に示すように、回転表示器４を支持した状態で斜め上下方向に沿って複数段に伸縮する支持部材３１と、この支持部材３１を機器本体１の表示収納部１７内に出没可能に保持する支持取付部３２とを備えている。支持部材３１は、斜め上下方向に伸縮する複数の筒状部３３、３４と、この複数の筒状部３３、３４の相対的な引き出し位置を規制する筒規制部３５とを備えている。
【００６９】
複数の筒状部３３、３４のうち、第１の筒状部３３は、図１１〜図１３に示すように、その外形が四角形の箱状に形成され、その中心部に挿入筒３６が機器本体１の前側（図１３では右側）から後側（図１３では左側）に向けて斜めに傾斜した状態で、上下に貫通して設けられた構成になっている。第２の筒状部３４は、円筒状に形成され、第１の筒状部３３の挿入筒３６内に出没可能に挿入するように構成されている。
【００７０】
すなわち、この第２の筒状部３４は、図１３および図１４に示すように、第１の筒状部３３の挿入筒３６内を上下方向に移動する際に、斜め後方（図１３では左側）に向けて傾斜した状態で、上下方向に斜めに移動するように構成されている。また、この第２の筒状部３４の上部には、図１１および図１２に示すように、回転表示器４の表示ケース１４の底部が水平方向に回転可能な状態で取り付けられている。
【００７１】
この第１、第２の各筒状部３３、３４は、図１１および図１２に示すように、それぞれ軸方向（上下方向）の長さが回転表示器４の高さのほぼ半分程度の長さ、つまり回転表示器４の表示ケース１４を収納する機器本体１の表示収納部１７における深さのほぼ半分程度の長さに形成され、第１、第２の各筒状部３３、３４を軸方向に沿って相対的に引き出した際に、その両方の筒状部３３、３４における上下方向の長さが表示収納部１７の深さよりも長くなるように構成されている。
【００７２】
筒規制部３５は、図１３および図１４に示すように、第１、第２の各筒状部３３、３４のうち、第２の筒状部３４を第１の筒状部３３の挿入筒３６から斜め上方に引き出す際に、その相対的な引き出し位置を規制するためのものであり、第２の筒状部３４の外周面に設けられた伸縮ガイド溝３４ａと、この伸縮ガイド溝３４ａ内に所定間隔で設けられた複数の位置規制凹部３４ｂと、これらが対向する第１の筒状部３３における挿入筒３６の内周面に弾力的に設けられたガイド突起３６ａとを備えている。
【００７３】
この場合、伸縮ガイド溝３４ａは、図１３および図１４に示すように、第２の筒状部３４の外周面にその軸方向に沿って設けられている。複数の位置規制凹部３４ｂは、伸縮ガイド溝３４ａ内にその軸方向に沿って所定間隔で、第２の筒状部３４の内周面と外周面とに貫通して設けられている。すなわち、この複数の位置規制凹部３４ｂは、伸縮ガイド溝３４ａ内の下端部と、伸縮ガイド溝３４ａ内の上端部と、伸縮ガイド溝３４ａ内の中間部との３箇所にそれぞれ設けられている。
【００７４】
ガイド突起３６ａは、図１３および図１４に示すように、挿入筒３６における内周面の上部に設けられて、伸縮ガイド溝３４ａ内を移動すると共に複数の位置規制凹部３４ｂ内に弾力的に係脱可能に係合するように構成されている。すなわち、このガイド突起３６ａは、挿入筒３６に切り込みを設けることにより、弾力を有する舌片状に形成され、且つ挿入筒３６の内周面から出没可能に突出し、この突出した部分が伸縮ガイド溝３４ａ内を移動すると共に複数の位置規制凹部３４ｂ内に係脱可能に弾力的に係合するように構成されている。
【００７５】
これにより、筒規制部３５は、図１３および図１４に示すように、第１の筒状部３３における挿入筒３６の内周面に設けられたガイド突起３６ａが、これに対向する第２の筒状部３４の外周面に設けられた伸縮ガイド溝３４ａ内を移動することにより、第１、第２の各筒状部３３、３４をその軸方向である斜め上下方向に沿って相対的に移動させるように構成されている。
【００７６】
また、この筒規制部３５は、図１３および図１４に示すように、第１の筒状部３３における挿入筒３６の内周面に設けられたガイド突起３６ａが、第２の筒状部３４の伸縮ガイド溝３４ａ内に設けられた複数の位置規制凹部３４ｂのいずれかに係脱可能に係合することにより、第１、第２の各筒状部３３、３４の軸方向である斜め上下方向への伸縮移動を弾力的に阻止するように構成されている。この場合、ガイド突起３６ａは、伸縮ガイド溝３４ａ内の上端部に位置する位置規制凹部３４ｂに係合すると、第２の筒状部３４を第１の筒状部３３の挿入孔３６内に最も挿入させた状態で位置規制する。
【００７７】
また、このガイド突起３６ａは、図１３および図１４に示すように、伸縮ガイド溝３４ａ内の中間部に位置する位置規制凹部３４ｂに係合すると、第２の筒状部３４を第１の筒状部３３の挿入孔３６内にほぼ半分程度を挿入させた状態で位置規制する。さらに、このガイド突起３６ａは、伸縮ガイド溝３４ａ内の下端部に位置する位置規制凹部３４ｂに係合すると、第２の筒状部３４を第１の筒状部３３の挿入孔３６内から最も突出させた状態で位置規制する。
【００７８】
一方、支持取付部３２は、図１２に示すように、支持部材３１の第１の筒状部３３が出没可能に挿入する収納筒部３７と、この収納筒部３７に対する第１の筒状部３３の引き出し位置を規制する取付規制部３８とを備えている。収納筒部３７は、四角形の枠状に形成されている。
【００７９】
この収納筒部３７は、図１１および図１２に示すように、その上下方向の長さが第１、第２の各筒状部３３、３４のうち、第１の筒状部３３における上下方向の長さ（高さ）よりも短く形成されている。この収納筒部３７は、その下部が機器本体１内に挿入された状態で、上部が機器本体１の背面に設けられた表示収納部１７の底部に取り付けられた構成になっている。
【００８０】
また、取付規制部３８は、図１２に示すように、支持部材３１の第１の筒状部３３を収納筒部３７内から上方に引き上げる際に、その相対的な引き上げ位置を規制するためのものであり、第１の筒状部３３の外面に設けられた一対の伸縮ガイド溝３３ａと、第１の筒状部３３における外面の所定箇所に設けられた位置規制フック部３３ｂと、これらが対向する収納筒部３７の内面に設けられた一対のガイド突起３７ａとを備えている。
【００８１】
この場合、一対の伸縮ガイド溝３３ａは、図１２に示すように、第１の筒状部３３の外面にその軸方向（上下方向）に沿って設けられている。位置規制フック部３３ｂは、第１の筒状部３３の外面において、一対の伸縮ガイド溝３３ａの上端部に対応する箇所に設けられ、収納筒部３７の上端部を係脱可能に弾力的に係止するように構成されている。
【００８２】
すなわち、この位置規制フック部３３ｂは、図１２に示すように、第１の筒状部３３に切り込みを設けることにより、弾力を有する舌片状に形成され、且つ第１の筒状部３３の外面から出没可能に突出し、この突出した部分が収納筒部３７の上端部を係脱可能に弾力的に係止するように構成されている。
【００８３】
一対のガイド突起３７ａは、図１２に示すように、収納筒部３７の内面に突出して設けられ、一対の伸縮ガイド溝３３ａ内に移動可能に挿入するように構成されている。すなわち、この一対のガイド突起３７ａは、収納筒部３７に切り込みを設けることにより、弾力を有する舌片状に形成され、且つ収納筒部３７の内面から出没可能に突出し、この突出した部分が一対の伸縮ガイド溝３３ａ内を弾力的に移動するように構成されている。
【００８４】
これにより、取付規制部３８は、図１２に示すように、収納筒部３７の内面に設けられた一対のガイド突起３７ａが、これに対向する第１の筒状部３３の外面に設けられた一対の伸縮ガイド溝３３ａ内を上下方向に移動することにより、第１の筒状部３３を収納筒部３７に対して軸方向（上下方向）に沿って移動させるように構成されている。
【００８５】
また、この取付規制部３８は、図１２に示すように、収納筒部３７の内面に設けられた一対のガイド突起３７ａが、これに対向する第１の筒状部３３の外面に設けられた一対の伸縮ガイド溝３３ａの上部に到達した際に、第１の筒状部３３の外面に設けられた位置規制フック部３３ｂが収納筒部３７の上端部を弾力的に係止することにより、第１の筒状部３３の軸方向への伸縮移動を弾力的に阻止するように構成されている。
【００８６】
次に、このような電子レジスタにおける回転表示器４の作用について説明する。
回転表示器４の表示パネル１５に表示された情報を顧客が見やすくする場合には、回転表示器４を機器本体１の表示収納部１７の上方に引き上げて、顧客が表示パネル１５に表示された情報を見やすい方向に向けて表示ケース１４を回転させれば良い。すなわち、回転表示器４を引き上げる際には、支持機構３０の支持部材３１が軸方向に沿って伸びると共に、この支持部材３１が支持取付部３２から引き上げられる。
【００８７】
このときには、図１４（ａ）に示すように、第１の筒状部３３における挿入筒３６の内周面に設けられたガイド突起３６ａが、第２の筒状部３４の外周面に設けられた伸縮ガイド溝３４ａ内における上端部の位置規制凹部３４ｂに係合しているため、この係合力に抗して第２の筒状部３４を挿入筒３６内から引き出す。すると、第２の筒状部３４の外周面に設けられた伸縮ガイド溝３４ａ内を挿入筒３６の内周面に設けられたガイド突起３６ａがその軸方向である斜め上下方向に沿って移動し、支持部材３１がその斜め上方に伸びる。
【００８８】
また、このときには、図１２に示すように、収納筒部３７の内周面に設けられた一対のガイド突起３７ａが、支持部材３１における第１の筒状部３３の外周面に設けられた一対の伸縮ガイド溝３３ａ内を軸方向に沿って相対的に移動し、第１の筒状部３３が収納筒部３７内から軸方向（上下方向）に沿って上方に引き上げられる。
【００８９】
そして、第１の筒状部３３における挿入筒３６の内周面に設けられたガイド突起３６ａが第２の筒状部３４における伸縮ガイド溝３４ａの上部側に相対的に移動する際には、図１３および図１４（ａ）に示すように、ガイド突起３６ａが伸縮ガイド溝３４ａ内の中間部に位置する位置規制凹部３４ｂに一旦、弾力的に係合する。このため、第２の筒状部３４が第１の筒状部３３の挿入筒３６内から急激に引き出されることがない。
【００９０】
この後、図１３および図１４（ｂ）に示すように、第１の筒状部３３における挿入筒３６内のガイド突起３６ａが、第２の筒状部３４における伸縮ガイド溝３４ａ内の下端部に位置する位置規制凹部３４ｂ内に係脱可能に弾力的に係合する。これにより、第１の筒状部３３に対する第２の筒状部３４の軸方向である上下方向への移動が弾力的に阻止され、第２の筒状部３４が第１の筒状部３３における挿入筒３６内から最も引き出される。
【００９１】
また、第１の筒状部３３の一対の伸縮ガイド溝３３ａ内を収納筒部３７の一対のガイド突起３７ａが相対的に移動して、一対の伸縮ガイド溝３３ａにおける各上部に移動した際には、図１２に示すように、第１の筒状部３３の外面に設けられた位置規制フック部３３ｂが収納筒部３７の上端部を弾力的に係止する。これにより、収納筒部３７に対する第１の筒状部３３の軸方向（上下方向）への移動が弾力的に阻止される。
【００９２】
このように支持機構３０の支持部材３１が上方に複数段に引き伸ばされると共に、支持部材３１の第１の筒状部３３が支持取付部３２の収納筒部３７内から引き出された際には、図１１に示すように、回転表示器４が機器本体１の上方に配置される。このときには、回転表示器４が機器本体１から離れる。このため、回転表示器４に対して入力表示ユニット２やプリンタユニット３のプリンタカバー１０が干渉するのを防ぐことができる。
【００９３】
すなわち、図１１に示すように、入力表示ユニット２のユニットケース５を回転移動させて後部上がりに起立させる際に、ユニットケース５が回転表示器４に接触することがない。また、プリンタユニット３のプリンタカバー１０を開閉する際に、プリンタカバー１０が回転表示器４に接触することがない。
【００９４】
この状態では、回転表示器４の表示ケース１４を回転させて、表示ケース１４に設けられた表示パネル１５を顧客が見やすい向きに向けることができる。すなわち、回転表示器４は、表示ケース１４の底部が支持部材３１の最も上方に位置する第２の筒状部３４の上部に水平方向に回転可能な状態で取り付けられていることにより、この第２の筒状部３４を中心に表示ケース１４を回転させて、表示パネル１５を顧客が見やすい向きに向けることができる。
【００９５】
一方、この回転表示器４を機器本体１の表示収納部１７内に収納する際には、第２の筒状部３４における伸縮ガイド溝３４ａの下端部に位置する位置規制凹部３４ｂに対して、第１の筒状部３３における挿入筒３６のガイド突起３６ａが弾力的に係合しているため、この係合力に抗して、表示ケース１４を第２の筒状部３４と共に押し下げる。すると、挿入筒３６のガイド突起３６ａが伸縮ガイド溝３４ａの下端部に位置する位置規制凹部３４ｂから離脱して伸縮ガイド溝３４ａ内に挿入する。
【００９６】
この状態で、表示ケース１４を更に押し下げると、ガイド突起３６ａが伸縮ガイド溝３４ａ内の中間部に位置する位置規制凹部３４ｂに一旦、弾力的に係合する。このため、第２の筒状部３４が第１の筒状部３３の挿入筒３６内に急激に押し込まれることがないので、安全に第２の筒状部３４を第１の筒状部３３の挿入筒３６内に押し込むことができる。
【００９７】
この後、図１４（ａ）に示すように、第２の筒状部３４が第１の筒状部３３の挿入筒３６内に更に押し込まれると、ガイド突起３６ａが伸縮ガイド溝３４ａの上端部に位置する位置規制凹部３４ｂに弾力的に係合し、これにより第２の筒状部３４が第１の筒状部３３における挿入筒３６内に収納される。
【００９８】
また、支持取付部３２における収納筒部３７の上端部に対して、第１の筒状部３３の位置規制フック部３３ｂが弾力的に係止しているので、この係止力に抗して、表示ケース１４を第１の筒状部３３と共に押し下げる。すると、収納筒部３７の上端部に対する第１の筒状部３３の位置規制フック部３３ｂによる係止が解除される。
【００９９】
この状態で表示ケース１４を更に押し下げると、収納筒部３７の内面に設けられた一対のガイド突起３７ａが第１の筒状部３３の外面に設けられた一対の伸縮ガイド溝３３ａに沿って相対的に下側に移動するので、第１の筒状部３３が収納筒部３７内に収納される。これにより、回転表示器４の表示ケース１４が機器本体１の表示収納部１７内に収納される。
【０１００】
このように、この電子レジスタにおいても、実施形態１と同様、機器本体１に対して回転表示器４を上下方向に移動可能に支持する支持機構３０が、回転表示器４を支持した状態で上下方向に沿って複数段に伸縮する支持部材３１と、この支持部材３１を機器本体１の表示収納部１７内に出没可能に保持する支持取付部３２とを備えているので、回転表示器４を大きく形成しても、支持部材３１の長さの影響を受けずに、装置全体をコンパクトに構成することができる。
【０１０１】
すなわち、この電子レジスタでは、支持部材３１を複数段に収縮させて支持部材３１の長さを短くすることができるので、支持部材３１を機器本体１に対してコンパクトに収納することができると共に、支持部材３１の収納時における長さを短くしても、支持部材３１を複数段に引き伸ばして長くすることができるので、回転表示器４を機器本体１の上方に確実に配置させることができる。
【０１０２】
これにより、回転表示器４を大きく形成しても、支持部材３１の長さの影響を受けずに、装置全体をコンパクトに構成することができる。この場合にも、回転表示器４の表示パネル１５に表示される情報を見やすくするために、表示パネル１５を大きく形成して、表示パネル１５を大画面化することができ、このように表示パネル１５の大画面化を図るため、表示ケース１４を大きく形成しても、支持部材３１の収縮時における長さを短くすることができるので、機器本体１を大きく形成する必要がなく、機器全体をコンパクトに構成することができる。
【０１０３】
この場合、支持機構３０は、支持部材３１が回転表示器４を支持した状態で、斜め上下方向に向けて複数段に伸縮するように構成されていることにより、支持部材３１を引き伸ばす際に、斜め上方に向けて引き伸ばすことができるので、回転表示器４を機器本体１の上方に移動させた際に、回転表示器４を機器本体１から十分に離すことができ、これにより回転表示器４が入力表示ユニット２のユニットケース５やプリンタユニット３のプリンタカバー１０に対して干渉しないように配置することができる。
【０１０４】
すなわち、この支持機構３０は、支持部材３１が第１、第２の筒状部３３、３４を備え、第１の筒状部３３内に挿入筒３６を機器本体１の前後方向に傾けた状態で、上下に貫通させて設け、この第１の筒状部３３における挿入筒３６内に第２の筒状部３４を出没可能に挿入した構成であるから、第２の筒状部３４を第１の筒状部３３における挿入筒３６内から引き出す際に、第２の筒状部３４を斜め上方に傾けて引き出すことができる。このため、回転表示器４を機器本体１の上方に移動させた際に、回転表示器４を機器本体１から確実に離すことができる。
【０１０５】
（実施形態３）
次に、図１５〜図１８を参照して、この発明を電子レジスタに適用した実施形態３について説明する。この場合にも、図１〜図１０に示された実施形態１と同一部分には同一符号を付して説明する。
この電子レジスタは、図１５および図１６に示すように、回転表示器４を支持する支持機構４０が実施形態１と異なる構成であり、これ以外は実施形態１とほぼ同じ構成になっている。
【０１０６】
この支持機構４０は、図１６〜図１８に示すように、回転表示器４を支持した状態で上下方向に沿って複数段に伸縮する支持部材４１と、この支持部材４１を機器本体１の表示収納部１７内に斜め上下方向に出没可能に保持する支持取付部４２とを備えている。支持部材４１は、上下方向に伸縮する複数の筒状部４３、４４と、この複数の筒状部４３、４４の相対的な引き出し位置を規制する筒規制部４５とを備えている。
【０１０７】
複数の筒状部４３、４４のうち、第１の筒状部４３は、図１６〜図１８に示すように、その外形が左右方向に潰れた形状の箱状に形成されている。すなわち、この第１の筒状部４３は、その左右の両側面が右側に傾き、前後の両側面が垂直に起立した箱形状に形成されている。この第１の筒状部４３の内部には、挿入筒４６が垂直方向に設けられている。すなわち、この挿入筒４６は、その上部が第１の筒状部４３の上面における左側に位置し、下部が第１の筒状部４３の下面における右側に位置した状態で、上下に貫通して設けられている。
【０１０８】
第２の筒状部４４は、図１６〜図１８に示すように、円筒状に形成され、第１の筒状部４３の挿入筒４６内に出没可能に挿入するように構成されている。すなわち、この第２の筒状部４４は、第１の筒状部４３の挿入筒４６内を上下方向に沿って垂直に移動するように構成されている。また、この第２の筒状部４４の上部には、回転表示器４の表示ケース１４の底部が水平方向に回転可能な状態で取り付けられている。
【０１０９】
この第１、第２の各筒状部４３、４４は、図１６〜図１８に示すように、それぞれ軸方向（上下方向）の長さが回転表示器４の高さのほぼ半分程度の長さ、つまり回転表示器４の表示ケース１４を収納する機器本体１の表示収納部１７における深さのほぼ半分程度の長さに形成され、第１、第２の各筒状部４３、４４を軸方向に沿って相対的に引き出した際に、その両方の筒状部４３、４４における上下方向の長さが表示収納部１７の深さよりも長くなるように構成されている。
【０１１０】
筒規制部４５は、図１６〜図１８に示すように、第１、第２の各筒状部４３、４４のうち、第２の筒状部４４を第１の筒状部４３の挿入筒４６から上方に引き出す際に、その相対的な引き出し位置を規制するためのものであり、第２の筒状部４４の外周面に設けられた伸縮ガイド溝４４ａと、この伸縮ガイド溝４４ａ内に設けられた複数の位置規制凹部４４ｂと、これらが対向する第１の筒状部４３における挿入筒４６の内周面に弾力的に設けられたガイド突起４６ａとを備えている。
【０１１１】
この場合、伸縮ガイド溝４４ａは、図１６〜図１８に示すように、第２の筒状部４４の外周面にその軸方向に沿って設けられている。複数の位置規制凹部４４ｂは、伸縮ガイド溝４４ａ内における上下の両端部に、第２の筒状部４４の内周面と外周面とに貫通した状態で設けられている。すなわち、この複数の位置規制凹部４４ｂは、伸縮ガイド溝４４ａ内の下端部と伸縮ガイド溝４４ａ内の上端部との２箇所にそれぞれ設けられている。
【０１１２】
ガイド突起４６ａは、図１６〜図１８に示すように、挿入筒４６における内周面の上部に設けられて、伸縮ガイド溝４４ａ内を移動すると共に複数の位置規制凹部４４ｂ内に弾力的に係脱可能に係合するように構成されている。すなわち、このガイド突起４６ａは、挿入筒４６に切り込みを設けることにより、弾力を有する舌片状に形成され、且つ挿入筒４６の内周面から出没可能に突出し、この突出した部分が伸縮ガイド溝４４ａ内を移動すると共に、複数の位置規制凹部４４ｂに係脱可能に弾力的に係合するように構成されている。
【０１１３】
これにより、筒規制部４５は、図１６〜図１８に示すように、第１の筒状部４３における挿入筒４６の内周面に設けられたガイド突起４６ａが、これに対向する第２の筒状部４４の外周面に設けられた伸縮ガイド溝４４ａ内を移動することにより、第１、第２の各筒状部４３、４４をその軸方向である上下方向に沿って相対的に移動させるように構成されている。
【０１１４】
また、この筒規制部４５は、図１６〜図１８に示すように、第１の筒状部４３における挿入筒４６の内周面に設けられたガイド突起４６ａが、第２の筒状部４４の伸縮ガイド溝４４ａ内に設けられた複数の位置規制凹部４４ｂのいずれかに係脱可能に係合することにより、第１、第２の各筒状部４３、４４の軸方向である上下方向への伸縮移動を弾力的に阻止するように構成されている。
【０１１５】
この場合、ガイド突起４６ａは、図１６〜図１８に示すように、伸縮ガイド溝４４ａ内の上端部に位置する位置規制凹部４４ｂに係合すると、第２の筒状部４４を第１の筒状部４３の挿入孔４６内に最も挿入させた状態で位置規制する。また、このガイド突起４６ａは、伸縮ガイド溝４４ａ内の下端部に位置する位置規制凹部４４ｂに係合すると、第２の筒状部４４を第１の筒状部４３の挿入孔４６内から最も突出させた状態で位置規制する。
【０１１６】
一方、支持取付部４２は、図１６〜図１８に示すように、支持部材４１の第１の筒状部４３が斜め上下方向に向けて出没可能に挿入する収納筒部４７と、この収納筒部４７に対する第１の筒状部４３の引き出し位置を規制する取付規制部４８とを備えている。収納筒部４７は、左右方向に押し潰されたほぼ四角形の枠状に形成されている。すなわち、この収納筒部４７は、第１の筒状部４３と同様、その左右の両側面が右側に傾き、前後の両側面が垂直に起立した枠状に形成されている。
【０１１７】
この収納筒部４７は、図１６〜図１８に示すように、その上下方向の長さが第１、第２の各筒状部４３、４４のうち、第１の筒状部４３における上下方向の長さ（高さ）とほぼ同じか、それよりも短く形成されている。この収納筒部４７は、その下部が機器本体１内に挿入された状態で、上部が機器本体１の背面に設けられた表示収納部１７の底部に取り付けられた構成になっている。
【０１１８】
また、取付規制部４８は、図１６〜図１８に示すように、支持部材４１の第１の筒状部４３を収納筒部４７内から上方に引き上げる際に、その相対的な引き上げ位置を規制するためのものであり、第１の筒状部４３の外面に設けられた一対の伸縮ガイド溝４３ａと、この一対の伸縮ガイド溝４３ａの上下端部に設けられた複数の位置規制凹部４３ｂと、これらが対向する収納筒部４７の内面に設けられた一対のガイド突起４７ａとを備えている。
【０１１９】
この場合、一対の伸縮ガイド溝４３ａは、図１６〜図１８に示すように、第１の筒状部４３の外面にその上下方向に沿って斜めに傾斜して設けられている。すなわち、この一対の伸縮ガイド溝４３ａは、第１の筒状部４３の左右に位置する両側面と平行な状態で斜めに傾斜して設けられている。複数の位置規制凹部４３ｂは、一対の伸縮ガイド溝４３ａ内における上下の両端部に、第１の筒状部４３の内周面と外周面とに貫通した状態で設けられている。
【０１２０】
一対のガイド突起４７ａは、図１６〜図１８に示すように、収納筒部４７の内面に突出して設けられ、一対の伸縮ガイド溝４３ａ内にそれぞれ移動可能に挿入すると共に複数の位置規制凹部４３ｂ内にそれぞれ弾力的に係脱可能に係合するように構成されている。すなわち、この一対のガイド突起４７ａは、収納筒部４７に切り込みを設けることにより、弾力を有する舌片状に形成され、且つ収納筒部４７の内面から出没可能に突出し、この突出した部分が一対の伸縮ガイド溝４３ａ内を弾力的に移動すると共に、複数の位置規制凹部４３ｂ内にそれぞれ弾力的に係脱可能に係合するように構成されている。
【０１２１】
これにより、取付規制部４８は、図１６〜図１８に示すように、収納筒部４７の内面に設けられた一対のガイド突起４７ａが、これに対向する第１の筒状部４３の外面に設けられた一対の伸縮ガイド溝４３ａ内を上下方向に移動することにより、第１の筒状部４３を収納筒部４７に対して斜め上下方向に沿って移動させるように構成されている。
【０１２２】
また、この取付規制部４８は、図１６〜図１８に示すように、収納筒部４７の内面に設けられた一対のガイド突起４７ａが、これに対向する第１の筒状部４３の外面に設けられた一対の伸縮ガイド溝４３ａの上下の各端部に到達した際に、一対の伸縮ガイド溝４３ａの上下端部に設けられた位置規制凹部４３ｂに弾力的に係合することにより、第１の筒状部４３の斜め上下方向への伸縮移動を弾力的に阻止するように構成されている。
【０１２３】
次に、このような電子レジスタにおける回転表示器４の作用について説明する。
回転表示器４の表示パネル１５に表示された情報を顧客が見やすくする場合には、回転表示器４を機器本体１の表示収納部１７の上方に引き上げて、顧客が表示パネル１５に表示された情報を見やすい方向に向けて表示ケース１４を回転させれば良い。すなわち、回転表示器４を引き上げる際には、支持機構４０の支持部材４１が軸方向に沿って伸びると共に、この支持部材４１が支持取付部４２から引き上げられる。
【０１２４】
このときには、図１７に示すように、第１の筒状部４３における挿入筒４６の内周面に設けられたガイド突起４６ａが、第２の筒状部４４の外周面に設けられた伸縮ガイド溝４４ａ内における上端部の位置規制凹部４４ｂに係合しているため、この係合力に抗して第２の筒状部４４を挿入筒４６内から引き出す。すると、挿入筒４６の内周面に設けられたガイド突起４６ａが、第２の筒状部４４の外周面に設けられた伸縮ガイド溝４４ａ内を上下方向に沿って移動し、支持部材４１がその上方に伸びる。
【０１２５】
また、このときには、図１７に示すように、収納筒部４７の内周面に設けられた一対のガイド突起４７ａが、第１の筒状部４３の外周面に設けられた一対の伸縮ガイド溝４３ａ内における上端部の位置規制凹部４３ｂに係合しているため、この係合力に抗して第１の筒状部４３を収納筒部４７内から引き出す。すると、収納筒部４７の内周面に設けられた一対のガイド突起４７ａが、第１の筒状部４３の外周面に設けられた一対の伸縮ガイド溝４３ａ内を斜め上方に向けて相対的に移動し、第１の筒状部４３が収納筒部４７内から斜め上方に引き上げられる。
【０１２６】
そして、図１８に示すように、第１の筒状部４３における挿入筒４６内のガイド突起４６ａが、第２の筒状部４４における伸縮ガイド溝４４ａ内を移動して、その伸縮ガイド溝４４ａの下端部に到達すると、挿入筒４６内のガイド突起４６ａが、第２の筒状部４４の伸縮ガイド溝４４ａ内の下端部に位置する位置規制凹部４４ｂ内に係脱可能に弾力的に係合する。これにより、第１の筒状部４３に対する第２の筒状部４４の軸方向である上下方向への移動が弾力的に阻止され、第２の筒状部４４が第１の筒状部４３における挿入筒４６内から最も引き出される。
【０１２７】
また、第１の筒状部４３における一対の伸縮ガイド溝４３ａ内を収納筒部４７の一対のガイド突起４７ａが相対的に移動して、一対の伸縮ガイド溝４３ａにおける各下部に移動した際には、図１８に示すように、一対のガイド突起４７ａが一対の伸縮ガイド溝４３ａ内における下端部に位置する位置規制凹部４３ｂ内にそれぞれ係脱可能に弾力的に係合する。これにより、収納筒部４７に対する第１の筒状部４３の斜め上下方向への移動が弾力的に阻止される。
【０１２８】
このように支持機構４０の支持部材４１が上方に複数段に引き伸ばされると共に、支持部材４１の第１の筒状部４３が支持取付部４２の収納筒部４７内から斜め上方に引き出された際には、図１８に示すように、回転表示器４が機器本体１の上方に配置される。このときには、回転表示器４が機器本体１から右側に離れる。このため、回転表示器４に対して入力表示ユニット２やプリンタユニット３のプリンタカバー１０が相互に干渉するのを防ぐことができる。
【０１２９】
すなわち、図１８に示すように、入力表示ユニット２のユニットケース５を回転移動させて後部上がりに起立させる際に、ユニットケース５が回転表示器４に接触することがない。また、プリンタユニット３のプリンタカバー１０を開閉する際に、プリンタカバー１０が回転表示器４に接触することがない。
【０１３０】
この状態では、回転表示器４の表示ケース１４を回転させて、表示ケース１４に設けられた表示パネル１５を顧客が見やすい向きに向けることができる。すなわち、回転表示器４は、表示ケース１４の底部が支持部材４１の最も上方に位置する第２の筒状部４４の上部に水平方向に回転可能な状態で取り付けられていることにより、この第２の筒状部４４を中心に表示ケース１４を回転させて、表示パネル１５を顧客が見やすい向きに向けることができる。
【０１３１】
一方、この回転表示器４を機器本体１の表示収納部１７内に収納する際には、第２の筒状部４４における伸縮ガイド溝４４ａの下端部に位置する位置規制凹部４４ｂに対して、第１の筒状部４３における挿入筒４６のガイド突起４６ａが弾力的に係合しているため、この係合力に抗して、表示ケース１４を第２の筒状部４４と共に押し下げる。すると、挿入筒４６のガイド突起４６ａが伸縮ガイド溝４４ａの下端部に位置する位置規制凹部４４ｂから離脱して伸縮ガイド溝４４ａ内を移動する。
【０１３２】
この状態で、表示ケース１４を更に押し下げると、図１７に示すように、挿入筒４６のガイド突起４６ａが第２の筒状部４４の伸縮ガイド溝４４ａ内を相対的に移動して、第２の筒状部４４が第１の筒状部４３の挿入筒４６内に押し込まれる。すると、ガイド突起４６ａが伸縮ガイド溝４４ａの上端部に位置する位置規制凹部４４ｂに弾力的に係合し、これにより第２の筒状部４４が第１の筒状部４３における挿入筒４６内に収納される。
【０１３３】
また、このときには、支持取付部４２における収納筒部４７の一対のガイド突起４７ａが、第１の筒状部４３における一対の伸縮ガイド溝４３ａ内の下端部に位置する各位置規制凹部４３ｂに弾力的に係合しているので、この係合力に抗して、表示ケース１４を第１の筒状部４３と共に押し下げる。すると、収納筒部４７の上端部に位置する一対のガイド突起４７ａが第１の筒状部４３の各位置規制凹部４３ｂから離脱して一対の伸縮ガイド溝４３ａ内に引き出される。
【０１３４】
この状態で、表示ケース１４を更に押し下げると、図１７に示すように、収納筒部４７の内面に設けられた一対のガイド突起４７ａが第１の筒状部４３の外面に設けられた一対の伸縮ガイド溝４３ａに沿って相対的に斜め下側に向けて移動するので、第１の筒状部４３が収納筒部４７内に収納される。これにより、回転表示器４の表示ケース１４が機器本体１の表示収納部１７内に収納される。
【０１３５】
このように、この電子レジスタにおいても、実施形態１と同様、機器本体１に対して回転表示器４を上下方向に移動可能に支持する支持機構４０が、回転表示器４を支持した状態で上下方向に沿って複数段に伸縮する支持部材４１と、この支持部材４１を機器本体１の表示収納部１７内に出没可能に保持する支持取付部４２とを備えているので、回転表示器４を大きく形成しても、支持部材４１の長さの影響を受けずに、装置全体をコンパクトに構成することができる。
【０１３６】
すなわち、この電子レジスタでは、支持部材４１を複数段に収縮させて支持部材４１の長さを短くすることができるので、支持部材４１を機器本体１に対してコンパクトに収納することができると共に、支持部材４１の収納時における長さを短くしても、支持部材４１を複数段に引き伸ばして長くすることができるので、回転表示器４を機器本体１の上方に確実に配置させることができる。
【０１３７】
これにより、回転表示器４を大きく形成しても、支持部材４１の長さの影響を受けずに、装置全体をコンパクトに構成することができる。この場合にも、回転表示器４の表示パネル１５に表示される情報を見やすくするために、表示パネル１５を大きく形成して、表示パネル１５を大画面化することができ、このように表示パネル１５の大画面化を図るため、表示ケース１４を大きく形成しても、支持部材４１の収縮時における長さを短くすることができるので、機器本体１を大きく形成する必要がなく、機器全体をコンパクトに構成することができる。
【０１３８】
この場合、支持機構４０は、支持部材４１が回転表示器４を支持した状態で、上下方向に向けて複数段に伸縮すると共に、支持取付部４２が支持部材４１を斜め上下方向に向けて出没可能に保持するように構成されていることにより、支持部材４１を引き伸ばして支持取付部４２から引き出す際に、斜め上方に向けて引き上げることができるので、回転表示器４を機器本体１の上方に移動させた際に、回転表示器４を機器本体１から十分に離すことができ、これにより回転表示器４が入力表示ユニット２のユニットケース５やプリンタユニット３のプリンタカバー１０に対して干渉しないように配置することができる。
【０１３９】
すなわち、この支持機構４０は、支持部材４１が第１、第２の筒状部４３、４４を備え、第１の筒状部４３内に設けられた挿入筒４６内に第２の筒状部４４を出没可能に挿入し、且つ第１の筒状部４３を支持取付部４２の収納筒部４７内に、機器本体１の左右方向に傾けた状態で、斜め上下方向に向けて出没可能に挿入した構成であるから、第１の筒状部４３を支持取付部４２の収納筒部４７内から引き出す際に、第１の筒状部４３を斜め上方に傾けて引き出すことができる。このため、回転表示器４を機器本体１の上方に移動させた際に、回転表示器４を機器本体１から確実に離すことができる。
【０１４０】
（実施形態４）
次に、図１９〜図２１を参照して、この発明を電子レジスタに適用した実施形態４について説明する。この場合にも、図１〜図１０に示された実施形態１と同一部分には同一符号を付して説明する。
この電子レジスタは、図１９〜図２１に示すように、回転表示器４を支持する支持機構５０が実施形態１と異なる構成であり、これ以外は実施形態１とほぼ同じ構成になっている。
【０１４１】
この支持機構５０は、図１９〜図２１に示すように、回転表示器４を支持した状態で上下方向に沿って複数段に伸縮する支持部材５１と、この支持部材５１を機器本体１の表示収納部１７内に出没可能に保持する支持取付部５２とを備えている。支持部材５１は、上下方向に伸縮する複数の筒状部５３、５４と、この複数の筒状部５３、５４の相対的な引き出し位置を規制する筒規制部５５とを備えている。
【０１４２】
複数の筒状部５３、５４は、図１９〜図２１に示すように、それぞれ径が異なる円筒状に形成され、第１の筒状部５３の内部に第２の筒状部５４が出没可能に挿入するように構成されている。すなわち、外側に位置する第１の筒状部５３は、その外径が第２の筒状部５４よりも大きく形成されており、この第１の筒状部５３の内部には、これよりも外径の小さい第２の筒状部５４がその軸方向に沿って移動可能に挿入されている。この小径である第２の筒状部５４の上部には、回転表示器４の表示ケース１４が一体に形成されている。
【０１４３】
この第１、第２の各筒状部５３、５４は、図１９〜図２１に示すように、それぞれ軸方向（上下方向）の長さが回転表示器４の高さのほぼ半分程度の長さ、つまり回転表示器４の表示ケース１４を収納する機器本体１の表示収納部１７における深さのほぼ半分程度の長さに形成され、第１、第２の各筒状部５３、５４を軸方向に沿って相対的に引き出した際に、その両方の筒状部５３、５４における上下方向の長さが表示収納部１７の深さよりも長くなるように構成されている。
【０１４４】
筒規制部５５は、図１９〜図２１に示すように、第１、第２の各筒状部５３、５４のうち、第２の筒状部５４を第１の筒状部５３内から上方に引き出す際に、その相対的な引き出し位置を規制するためのものであり、第１の筒状部５３の内周面に設けられた伸縮ガイド溝５３ａおよび位置規制ガイド溝５３ｂと、これらが対向する第２の筒状部５４の外周面に弾力的に設けられたガイド突起５４ａとを備えている。
【０１４５】
この場合、伸縮ガイド溝５３ａは、図１９〜図２１に示すように、第１の筒状部５３の内周面にその軸方向に沿って設けられている。位置規制ガイド溝５３ｂは、第１の筒状部５３の内周面にその円周方向に沿って設けられている。すなわち、この位置規制ガイド溝５３ｂは、伸縮ガイド溝５３ａの上端部に位置し、この状態で伸縮ガイド溝５３ａと連続して形成されている。この場合、位置規制ガイド溝５３ｂ内には、回転位置を規制するための凹凸部が設けられている。
【０１４６】
ガイド突起５４ａは、図１９〜図２１に示すように、第２の筒状部５４の外周面に設けられて、伸縮ガイド溝５３ａ内を上下方向に移動すると共に、第２の筒状部５４が第１の筒状部５３から引き出されて伸縮ガイド溝５３ａの上端部に到達した際に、第２の筒状部５４の回転操作に応じて位置規制ガイド溝５３ｂ内をその内部の凹凸部によってクリック感をもって移動するように構成されている。
【０１４７】
すなわち、このガイド突起５４ａは、図１９〜図２１に示すように、第２の筒状部５４に切り込みを設けることにより、弾力を有する舌片状に形成され、且つ第２の筒状部５４の外周面から出没可能に突出し、この突出した部分が伸縮ガイド溝５３ａ内を移動すると共に、位置規制ガイド溝５３ｂ内をその内部の凹凸部によってクリック感をもって移動するように構成されている。
【０１４８】
また、この筒規制部４５は、図１９〜図２１に示すように、第２の筒状部５４の上限位置を規制する上限スタットパ部５４ｂと、第２の筒状部５４の下限位置を規制する下限スタットパ部５４ｃとを備えている。上限ストッパ部５４ｂは、第２の筒状部５４の外周面における下端部に設けられて第１の筒状部５３の内周面の下部側に設けられた段差部５３ｃ（図２０参照）に下側から当接することにより、第２の筒状部５４の上限位置を規制するように構成されている。
【０１４９】
下限ストッパ部５４ｃは、図１９〜図２１に示すように、第２の筒状部５４の外周面に設けられて第１の筒状部５３の内周面のほぼ中間付近に設けられた段差部（図示せず）に上側から当接することにより、第２の筒状部５４の下限位置を規制するように構成されている。この上限ストッパ部５４ｂおよび下限ストッパ部５４ｃは、ガイド突起部５４ａと同様、第２の筒状部５４に切り込みを設けることにより、弾力を有する舌片状に形成されて、第２の筒状部５４の外周面から突出し、この突出した部分が第１の筒状部５３の内周面に接触した状態で移動するように構成されている。
【０１５０】
これにより、筒規制部５５は、図１９〜図２１に示すように、第２の筒状部５４の外周面に設けられたガイド突起５４ａが、これに対向する第１の筒状部５３の内周面に設けられた伸縮ガイド溝５３ａ内を移動することにより、第１、第２の各筒状部５３、５４をその軸方向である上下方向に沿って相対的に移動させるように構成されている。
【０１５１】
また、この筒規制部５５は、図１９〜図２１に示すように、第２の筒状部５４の外周面に設けられたガイド突起５４ａが、第１の筒状部５３の伸縮ガイド溝５３ａの上端部に到達し、この状態で第２の筒状部５４が回転表示器４と共に回転した際に、ガイド突起５４ａが伸縮ガイド溝５３ａに連続する位置規制ガイド溝５３ｂ内を移動することにより、第１、第２の各筒状部５３、５４の軸方向である上下方向への伸縮移動を阻止するように構成されている。
【０１５２】
この場合、上限ストッパ部５４ｂは、図１９〜図２１に示すように、第１の筒状部５３の内周面の下部側に設けられた段差部５３ｃに下側から当接することにより、第２の筒状部５４を第１の筒状部５３内から最も突出させた状態で、抜け出すことなく位置規制するように構成されている。また、下限ストッパ部５４ｃは、第１の筒状部５３の内周面の段差部（図示せず）に上側から当接することにより、第２の筒状部５４を第１の筒状部５３内に最も挿入させた状態で位置規制するように構成されている。
【０１５３】
一方、支持取付部５２は、図１９〜図２１に示すように、支持部材５１の第１の筒状部５３が上下方向に向けて出没可能に挿入する収納筒部５７と、この収納筒部５７に対する第１の筒状部５３の引き出し位置を規制する取付規制部５８とを備えている。収納筒部５７は、その内径が第１の筒状部５３の外径とほぼ同じ大きさの円筒状に形成されている。
【０１５４】
この収納筒部５７は、図１９〜図２１に示すように、その上下方向の長さが第１、第２の各筒状部５３、５４における上下方向の長さ（高さ）よりも短く形成されている。この収納筒部５７は、その下部が機器本体１内に挿入された状態で、上部が機器本体１の背面に設けられた表示収納部１７の底部に取り付けられた構成になっている。
【０１５５】
また、取付規制部５８は、図１９〜図２１に示すように、支持部材５１の第１の筒状部５３を収納筒部５７内から上方に引き上げる際に、その相対的な引き上げ位置を規制するためのものであり、第１の筒状部５３の外面に設けられた一対の伸縮ガイド溝５３ｄと、この一対の伸縮ガイド溝５３ｄの上下端部に設けられた複数の位置規制凹部５３ｅと、これらが対向する収納筒部５７の内面に設けられた一対のガイド突起５７ａと、第１の筒状部５３の外面に設けられた位置規制フック部５３ｆと、を備えている。
【０１５６】
この場合、一対の伸縮ガイド溝５３ｄは、図１９〜図２１に示すように、第１の筒状部５３の外面にその上下方向に沿って設けられている。複数の位置規制凹部５３ｅは、一対の伸縮ガイド溝５３ｄ内における上下の両端部に、第１の筒状部５３の内周面と外周面とに貫通した状態で設けられている。一対のガイド突起５７ａは、収納筒部５７の内面に突出して設けられ、一対の伸縮ガイド溝５３ｄ内にそれぞれ移動可能に挿入すると共に複数の位置規制凹部５３ｅ内にそれぞれ弾力的に係脱可能に係合するように構成されている。
【０１５７】
すなわち、この一対のガイド突起５７ａは、図１９〜図２１に示すように、収納筒部５７に切り込みを設けることにより、弾力を有する舌片状に形成され、且つ収納筒部５７の内面から出没可能に突出し、この突出した部分が一対の伸縮ガイド溝５３ｄ内を弾力的に移動すると共に、複数の位置規制凹部５３ｂ内にそれぞれ弾力的に係脱可能に係合するように構成されている。また、位置規制フック部５３ｆは、第１の筒状部５３の外周面に弾力を有する舌片状に形成されて突出し、この突出した部分が収納筒部５７の上端部を係脱可能に弾力的に係止するように構成されている。
【０１５８】
これにより、取付規制部５８は、図１９〜図２１に示すように、収納筒部５７の内面に設けられた一対のガイド突起５７ａが、これに対向する第１の筒状部５３の外面に設けられた一対の伸縮ガイド溝５３ｄ内を上下方向に移動することにより、第１の筒状部５３を収納筒部５７に対して上下方向に沿って移動させるように構成されている。
【０１５９】
また、この取付規制部５８は、図１９〜図２１に示すように、収納筒部５７の内面に設けられた一対のガイド突起５７ａが、これに対向する第１の筒状部５３の外面に設けられた一対の伸縮ガイド溝５３ｄの上下の各端部に到達した際に、一対の伸縮ガイド溝５３ｄの上下端部に設けられた位置規制凹部５３ｅに弾力的に係合することにより、第１の筒状部５３の上下方向への伸縮移動を弾力的に阻止するように構成されている。
【０１６０】
次に、このような電子レジスタにおける回転表示器４の作用について説明する。
回転表示器４の表示パネル１５に表示された情報を顧客が見やすくする場合には、回転表示器４を機器本体１の表示収納部１７の上方に引き上げて、顧客が表示パネル１５に表示された情報を見やすい方向に向けて表示ケース１４を回転させれば良い。すなわち、回転表示器４を引き上げる際には、支持機構５０の支持部材５１が軸方向に沿って伸びると共に、この支持部材５１が支持取付部５２から引き上げられる。
【０１６１】
このときには、図１９〜図２１に示すように、第２の筒状部５４の外周面に設けられたガイド突起５４ａが、第１の筒状部５３の内周面に設けられた伸縮ガイド溝５３ａ内における上端部の位置規制凹部５３ｂに係合しているため、この係合力に抗して第２の筒状部５４を第１の筒状部５３内から引き出す。すると、第２の筒状部５４の外周面に設けられたガイド突起５４ａが、第１の筒状部５３の内周面に設けられた伸縮ガイド溝５３ａ内を上下方向に沿って移動し、支持部材５１がその上方に伸びる。
【０１６２】
また、このときには、図１９〜図２１に示すように、収納筒部５７の内周面に設けられた一対のガイド突起５７ａが、第１の筒状部５３の外周面に設けられた一対の伸縮ガイド溝５３ｄ内における上端部の位置規制凹部５３ｅに係合しているため、この係合力に抗して第１の筒状部５３を収納筒部５７内から引き出す。すると、収納筒部５７の内周面に設けられた一対のガイド突起５７ａが、第１の筒状部５３の外周面に設けられた一対の伸縮ガイド溝５３ｄ内を上方に向けて相対的に移動し、第１の筒状部５３が収納筒部５７内から上方に引き上げられる。
【０１６３】
そして、図１９〜図２１に示すように、第２の筒状部５４のガイド突起５４ａが、第１の筒状部５３における伸縮ガイド溝５３ａ内を移動して、その伸縮ガイド溝５３ａの上端部に到達すると、第２の筒状部５４のガイド突起５４ａが、第１の筒状部５３の伸縮ガイド溝５３ａ内の上端部に位置する位置規制ガイド溝５３ｂに対応する。この状態で、回転表示器４を水平方向に回転させると、その回転に伴って第２の筒状部５４が回転する。
【０１６４】
このときには、第２の筒状部５４のガイド突起５４ａが、第１の筒状部５３の伸縮ガイド溝５３ａに連続する位置規制ガイド溝５３ｂ内に挿入する。これにより、回転表示器４が第２の筒状部５４と共に回転するが、第１の筒状部５３に対する第２の筒状部５４の軸方向である上下方向への移動が阻止され、第２の筒状部５４が第１の筒状部５３内から最も引き出された状態を維持する。
【０１６５】
また、収納筒部５７の一対のガイド突起５７ａが第１の筒状部５３の一対の伸縮ガイド溝５３ｄ内を相対的に移動して、一対の伸縮ガイド溝５３ｄにおける各上部に移動した際には、一対のガイド突起５７ａが一対の伸縮ガイド溝５３ｄ内における上端部に位置する位置規制凹部５３ｅ内にそれぞれ係脱可能に弾力的に係合する。また、このときには、第１の筒状部５３の位置規制フック部５３ｆが収納筒部５７の上端部を弾力的に係止する。これにより、収納筒部５７に対する第１の筒状部５３の上下方向への移動が弾力的に阻止される。
【０１６６】
このように支持機構５０の支持部材５１が上方に複数段に引き伸ばされると共に、支持部材５１の第１の筒状部５３が支持取付部５２の収納筒部５７内から引き出された際には、図２０および図２１に示すように、回転表示器４が機器本体１の上方に配置される。この状態では、回転表示器４の表示ケース１４を回転させて、表示ケース１４に設けられた表示パネル１５を顧客が見やすい向きに向けることができる。
【０１６７】
すなわち、回転表示器４は、図１９〜図２１に示すように、表示ケース１４の底部が支持部材５１の最も上方に位置する第２の筒状部５４の上部に一体に設けられていることにより、この第２の筒状部５４と共にこれを中心に表示ケース１４を回転させて、表示パネル１５を顧客が見やすい向きに向けることができる。
【０１６８】
一方、この回転表示器４を機器本体１の表示収納部１７内に収納する際には、回転表示器４を回転させて第２の筒状部５４のガイド突起５４ａを第１の筒状部５３の内周面に設けられた位置規制ガイド溝５３ｂに沿って回転移動させることにより、このガイド突起５４ａを伸縮ガイド溝５３ａに対応させる。この状態で、表示ケース１４を第２の筒状部５４と共に押し下げる。すると、第２の筒状部５４のガイド突起５４ａが第１の筒状部５３の伸縮ガイド溝５３ａ内に挿入する。
【０１６９】
そして、表示ケース１４を更に押し下げると、第２の筒状部５４のガイド突起５４ａが第１の筒状部５３の伸縮ガイド溝５３ａ内を相対的に移動して、第２の筒状部５４が第１の筒状部５３内に押し込まれる。すると、第２の筒状部５４の下限ストッパ部５４ｃが第１の筒状部５３の内周面に設けられた段差部（図示せず）に当接して下限位置が規制された状態で、第２の筒状部５４が第１の筒状部５３内に収納される。
【０１７０】
また、このときには、収納筒部５７の上端部に対する第１の筒状部５３の位置規制フック部５３ｆの係止を解除する。そして、支持取付部５２における収納筒部５７の一対のガイド突起５７ａが、第１の筒状部５３における一対の伸縮ガイド溝５３ｄ内の上端部に位置する各位置規制凹部５３ｅに弾力的に係合しているので、この係合力に抗して、表示ケース１４を第１の筒状部５３と共に押し下げる。すると、収納筒部５７の一対のガイド突起５７ａが第１の筒状部５３の各位置規制凹部５３ｅから離脱して一対の伸縮ガイド溝５３ｄ内を移動する。
【０１７１】
この状態で、表示ケース１４を更に押し下げると、収納筒部５７の内面に設けられた一対のガイド突起５７ａが第１の筒状部５３の外面に設けられた一対の伸縮ガイド溝５３ｄに沿って相対的に下側に向けて移動するので、第１の筒状部５３が収納筒部５７内に収納される。これにより、回転表示器４の表示ケース１４が機器本体１の表示収納部１７内に収納される。
【０１７２】
このように、この電子レジスタにおいても、実施形態１と同様、機器本体１に対して回転表示器４を上下方向に移動可能に支持する支持機構５０が、回転表示器４を支持した状態で上下方向に沿って複数段に伸縮する支持部材５１と、この支持部材５１を機器本体１の表示収納部１７内に出没可能に保持する支持取付部５２とを備えているので、回転表示器４を大きく形成しても、支持部材５１の長さの影響を受けずに、装置全体をコンパクトに構成することができる。
【０１７３】
すなわち、この電子レジスタでは、支持部材５１を複数段に収縮させて支持部材５１の長さを短くすることができるので、支持部材５１を機器本体１に対してコンパクトに収納することができると共に、支持部材５１の収納時における長さを短くしても、支持部材５１を複数段に引き伸ばして長くすることができるので、回転表示器４を機器本体１の上方に確実に配置させることができる。
【０１７４】
これにより、回転表示器４を大きく形成しても、支持部材５１の長さの影響を受けずに、装置全体をコンパクトに構成することができる。この場合にも、回転表示器４の表示パネル１５に表示される情報を見やすくするために、表示パネル１５を大きく形成して、表示パネル１５を大画面化することができ、このように表示パネル１５の大画面化を図るため、表示ケース１４を大きく形成しても、支持部材５１の収縮時における長さを短くすることができるので、機器本体１を大きく形成する必要がなく、機器全体をコンパクトに構成することができる。
【０１７５】
この場合、支持機構５０の支持部材５１は、それぞれ径が異なり、一方の内部に他方が出没可能に挿入する複数の筒状部５３、５４と、この複数の筒状部５３、５４を相対的に引き出す際にその引き出し位置を相互に規制する筒規制部５５とを備えているので、複数の筒状部５３、５４のうち、小径である第２の筒状部５４を大径である第１の筒状部５３内に挿入させることにより、支持部材５１を短くすることができると共に、第１、第２の各筒状部５３、５４を相対的に引き出して支持部材５１を長くすることができ、支持部材５１を長くしても、筒規制部５５によってその長さを確実に維持することができる。
【０１７６】
すなわち、筒規制部５５は、第１筒状部５３の内周面にその軸方向に沿って設けられた伸縮ガイド溝５３ａと、第１の筒状部５３の内周面にその円周方向に沿って設けられて伸縮ガイド溝５３ａに連続する位置規制ガイド溝５３ｂと、第１の筒状部５３の内周面に対向する第２の筒状部５４の外周面に設けられ、且つ伸縮ガイド溝５３ａ内を移動すると共に位置規制ガイド溝５３ｂ内を移動するガイド突起５４ａとを備えているので、支持部材５１を確実に且つ良好に伸縮させることができると共に、支持部材５１を引き伸ばした際に、ガイド突起部５４ａが位置規制ガイド溝５３ｂ内に挿入することにより、支持部材５１の伸びた状態を維持することができる。
【０１７７】
すなわち、この支持部材５１では、第２の筒状部５４のガイド突起５４ａが第１の筒状部５３の伸縮ガイド溝５３ａ内を移動することにより、各筒状部５３、５４を軸方向に沿って相対的に移動させることができ、これにより支持部材５１の長さを伸縮させて変更することができる。また、支持部材５１を引き伸ばした際に、第２の筒状部５４のガイド突起５４ａが第１の筒状部５３における伸縮ガイド溝５３ａから位置規制ガイド溝５３ｂ内に挿入して回転方向に移動することにより、第１、第２の各筒状部５３、５４の軸方向への移動を阻止することができ、これにより支持部材５１の伸びた状態を確実に且つ良好に維持することができる。
【０１７８】
なお、上述した実施形態１〜４では、支持部材１８、３１、４１、５１が２段階に伸縮するように構成した場合について述べたが、これに限らず、３段階以上に伸縮するように構成しても良い。この場合には、支持部材を３つ以上の筒状部で構成すれば良い。このように構成すれば、支持部材を収縮させた際に、上述した実施形態１〜４よりも短くすることができるので、より一層、機器本体１をコンパクトに構成することができる。
【０１７９】
また、上述した実施形態１〜４では、電子レジスタに適用した場合について述べたが、必ずしも電子レジスタである必要はなく、回転表示器を備えた各種の電子機器に広く適用することができる。
【０１８０】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１８１】
（付記）
請求項１に記載の発明は、機器本体に対して表示器を上下方向に移動可能に支持する支持機構を備えた電子機器において、前記支持機構は、前記表示器を支持した状態で上下方向に沿って複数段に伸縮する支持部材と、この支持部材を前記機器本体に対して出没可能に保持する支持取付部とを備えていることを特徴とする電子機器である。
【０１８２】
請求項２に記載の発明は、請求項１に記載の電子機器において、前記支持部材は、それぞれ径が異なり、その一方の内部に他方が出没可能に挿入する複数の筒状部と、この複数の筒状部を相対的に引き出す際にその引き出し位置を相互に規制する筒規制部とを備えていることを特徴とする電子機器である。
【０１８３】
請求項３に記載の発明は、請求項２に記載の電子機器において、前記筒規制部は、前記複数の筒状部の各周面にその軸方向に沿って設けられた伸縮ガイド溝と、この伸縮ガイド溝内に所定間隔で設けられた複数の位置規制凹部と、前記複数の筒状部の前記各周面に対向する前記複数の筒状部の各周面に設けられ、且つ前記伸縮ガイド溝内を移動すると共に前記複数の位置規制凹部内に弾力的に係脱可能に係合するガイド突起とを備えていることを特徴とする電子機器である。
【０１８４】
請求項４に記載の発明は、請求項２に記載の電子機器において、前記筒規制部は、前記複数の筒状部の各周面にその軸方向に沿って設けられた伸縮ガイド溝と、前記複数の筒状部の各周面にその円周方向に沿って設けられて前記伸縮ガイド溝に連続する位置規制ガイド溝と、前記複数の筒状部の前記各周面に対向する前記複数の筒状部の各周面に設けられ、且つ前記伸縮ガイド溝内を移動すると共に前記位置規制ガイド溝内を移動するガイド突起とを備えていることを特徴とする電子機器。
【０１８５】
請求項５に記載の発明は、請求項１〜請求項４のいずれかに記載の電子機器において、前記支持取付部は、前記支持部材の前記複数の筒状部のうち、最外周に位置する筒状部が出没可能に挿入する収納筒部と、この収納筒部に対する前記最外周の筒状部の引き出し位置を規制する取付規制部とを備えていることを特徴とする電子機器である。
【０１８６】
請求項６に記載の発明は、請求項１〜請求項５のいずれかに記載の電子機器において、前記表示器は、表示ケースの側面に表示パネルが設けられ、前記表示ケースの底部が前記支持部材を引き伸ばした際に最も上方に位置する前記筒状部の上部に回転可能に取り付けられていることを特徴とする電子機器である。
【０１８７】
請求項７に記載の発明は、請求項１〜請求項６のいずれかに記載の電子機器において、前記機器本体には前記表示器を出没可能に収納する表示収納部が設けられており、この表示収納部内の底部には前記支持部材を収縮させた状態で収納する前記支持取付部が設けられていることを特徴とする電子機器である。
【０１８８】
請求項８に記載の発明は、請求項１〜請求項７のいずれかに記載の電子機器において、前記支持部材は、前記表示器を支持した状態で、斜め上下方向に向けて複数段に伸縮することを特徴とする電子機器である。
【符号の説明】
【０１８９】
１  機器本体
４  回転表示器
１４  表示ケース
１５  表示パネル
１６、３０、４０、５０  支持機構
１７  表示収納部
１８、３１、４１、５１  支持部材
１９、３２、４２、５２  支持取付部
２０、２１  筒軸
２０ａ、３４ａ、４４ａ、５３ａ  伸縮ガイド溝
２０ｂ、３４ｂ、４４ｂ  位置規制凹部
２０ｃ、２１ａ、３６ａ、３７ａ、４６ａ、４７ａ、５４ａ、５７ａ  ガイド突起
２２、３５、４５、５５  筒規制部
２３、３７、４７、５７  収納筒部
２３ａ、３３ａ、４３ａ、５３ｄ  伸縮ガイド溝
２３ｂ、４３ｂ、５３ｅ  位置規制凹部
２４、３８、４８、５８  取付規制部
３３、３４、４３、４４  筒状部
３３ｂ、５３ｆ  位置規制フック部
３６、４６  挿入筒
５３ｂ  位置規制ガイド溝
【図１】
0005915963.tif 000002
【図２】
0005915963.tif 000003
【図３】
0005915963.tif 000004
【図４】
0005915963.tif 000005
【図５】
0005915963.tif 000006
【図６】
0005915963.tif 000007
【図７】
0005915963.tif 000008
【図８】
0005915963.tif 000009
【図９】
0005915963.tif 000010
【図１０】
0005915963.tif 000011
【図１１】
0005915963.tif 000012
【図１２】
0005915963.tif 000013
【図１３】
0005915963.tif 000014
【図１４】
0005915963.tif 000015
【図１５】
0005915963.tif 000016
【図１６】
0005915963.tif 000017
【図１７】
0005915963.tif 000018
【図１８】
0005915963.tif 000019
【図１９】
0005915963.tif 000020
【図２０】
0005915963.tif 000021
【図２１】
0005915963.tif 000022